(57)【要約】【課題】飼料ホッパ内において飼料のブリッジが発生することを完全に防止する家畜用給餌器を提供する。【解決手段】本発明による家畜用給餌器のブリッジ防止手段１４は、飼料ホッパ１０における円錐ガイド部２２の傾斜に合わせて、それぞれ吊り棒１２から斜め上向きに延ばし、円錐ガイド部２２の内壁面２２ａに沿って逆かさ形に配設する複数の線状の撹拌棒３０を備え、それら撹拌棒３０の上端をリング３１で連結して構成してなる。【選択図】          図１
2008167706.tif 000002
【特許請求の範囲】
【請求項１】
飼料ホッパの漸次下向きに縮径した円錐ガイド部を通して飼料を下方の底皿へ自然落下させると共に、その底皿上で家畜が起動部材を押すと、その起動部材を下端部に連結した吊り棒に備えるブリッジ防止手段を一体に回動し、そのブリッジ防止手段で前記円錐ガイド部内の飼料を流動させながら落下させて前記底皿へと送給する家畜用給餌器において、
前記ブリッジ防止手段は、
前記円錐ガイド部の傾斜に合わせて前記吊り棒から斜め上向きに延び、前記円錐ガイド部の内壁面に沿わせて配設してなることを特徴とする、家畜用給餌器。
【請求項２】
請求項１に記載の家畜用給餌器において、前記ブリッジ防止手段は、前記円錐ガイド部の傾斜に合わせてそれぞれ前記吊り棒から斜め上向きに延ばし、前記円錐ガイド部の内壁面に沿って逆かさ形に配設する複数の線状の撹拌棒を備え、それら撹拌棒の上端をリングで連結して構成してなることを特徴とする、家畜用給餌器。
【発明の詳細な説明】
【技術分野】
【０００１】
本発明は、仔豚等の家畜に飼料を与えるのに好適な家畜用給餌器に関する。
【背景技術】
【０００２】
従来、この種の家畜用給餌器は、飼料ホッパにおいて、飼料が投入される円筒部の下側に、漸次下向きに縮径した円錐ガイド部を設け、飼料供給時は、円筒部内に投入した飼料を、この円錐ガイド部を通して底皿へ自然落下させて送給している。ところが、飼料ホッパの下側を円錐ガイド部で漸次下向きに幅狭に形成するので、そのように重力で飼料を自然落下させるものにあっては、円錐ガイド部で飼料が詰まってブリッジ状になり易く、飼料ホッパの下端の排出口から飼料が排出されない虞があった。
【０００３】
そこで、従来の家畜用給餌器の中には、図６および図７に示すように、飼料ホッパ１の上部側に支持棒２を懸架し、その支持棒２に吊り棒３の上端部を回転自在に連結して飼料ホッパ１内に垂下する一方、吊り棒３の下端部に棒状の起動部材４を連結して放射状に配設すると共に、吊り棒３の中途部から斜め上向きに鋼製ワイヤー製のブリッジ防止手段５を取り付けて円錐ガイド部１ａ内に配設するようにした構成のものがある。また、他の家畜用給餌器の中には、図８および図９に示すように、同様に飼料ホッパ１の上部側に支持棒２を懸架し、支持棒２に吊り棒３の上端部を回転自在に連結する一方、Ｔ型の下端棒部３ａを底皿６上の餌量調節パイプ７の上部に連結して吊り棒３を垂下する一方、この吊り棒３の中途部から斜め上向きに丸棒のブリッジ防止手段５を取り付けて円錐ガイド部１ａ内に枝状に配設した構成のものがある。
【０００４】
そして、これら従来の家畜用給餌器では、例えば仔豚が食餌するときに鼻や口で触って起動部材４を押すと、吊り棒３が回転し、それと一体にブリッジ防止手段５が回動するため、飼料ホッパ１内の飼料は、このブリッジ防止手段５によって円錐ガイド部１ａの中心周りで撹拌され、ブリッジ状にならないように底皿６へ落下するようにしていた。
【特許文献１】登録実用新案第３０１９０３７号公報
【発明の開示】
【発明が解決しようとする課題】
【０００５】
しかし、上述した従来の家畜用給餌器では、いずれも飼料供給時、飼料ホッパ１内において、ブリッジ防止手段５で円錐ガイド部１ａの中心周りにある飼料だけをかき混ぜて落す構成であるため、確かに円錐ガイド部１ａの中心付近にある飼料は、流動して下方へ落下するが、円錐ガイド部１ａの内壁面１ｂ寄りにある飼料は、内壁面１ｂとの間の摩擦抵抗により付着したまま落下せず、依然としてブリッジ状に残留するため、結局、ブリッジの発生を確実には防止できない、という課題があった。
【０００６】
そこで、本発明の目的は、飼料ホッパ内で飼料のブリッジが発生するのを完全に防止する家畜用給餌器を提供することにある。
【課題を解決するための手段】
【０００７】
上記した課題を解決すべく、請求項１に記載の発明は、たとえば以下に図１〜図５を用いて説明する実施の形態に示すとおり、飼料ホッパ１０の漸次下向きに縮径した円錐ガイド部２２を通して飼料を下方の底皿１８へ自然落下させると共に、その底皿１８上で家畜が起動部材１３を押すと、その起動部材１３を下端部に連結した吊り棒１２に備えるブリッジ防止手段１４を一体に回動し、そのブリッジ防止手段１４で前記円錐ガイド部２２内の飼料を流動させながら落下させて前記底皿１８へと送給する家畜用給餌器において、前記ブリッジ防止手段１４は、前記円錐ガイド部２２の傾斜に合わせて前記吊り棒１２から斜め上向きに延び、前記円錐ガイド部２２の内壁面２２ａに沿わせて配設してなることを特徴とする。
【０００８】
請求項２に記載の発明は、請求項１に記載の家畜用給餌器において、たとえば以下に図１〜図５を用いて説明する実施の形態に示すとおり、前記ブリッジ防止手段１４は、前記円錐ガイド部２２の傾斜に合わせてそれぞれ前記吊り棒１２から斜め上向きに延ばし、前記円錐ガイド部２２の内壁面２２ａに沿って逆かさ形に配設する複数の線状の撹拌棒３０を備え、それら撹拌棒３０の上端をリング３１で連結して構成してなることを特徴とする。
【発明の効果】
【０００９】
本発明によれば、飼料供給時、飼料ホッパ内に投入する飼料は、円錐ガイド部を通って底皿上へ自然落下して仔豚等の家畜へと送給されるが、このとき、例えば食餌中に仔豚等が鼻や口で触って起動部材を押すと、それに応じて、吊り棒が揺動すると同時に、飼料ホッパ内では、ブリッジ防止手段が円錐ガイド部の内壁面の近傍でそれに沿って揺動するため、内壁面寄りにある凝集飼料はかき混ぜられ、内壁面に摩擦で付着した飼料群も摩擦抵抗が解かれて流動し（例えば外側から円錐ガイド部の外壁面を木槌で叩いて付着飼料を叩き落とすのと同様な効果が得られる。）、その結果、飼料は、円錐ガイド部内の内壁面側から、順次、下方の底皿上へ円滑に落下する。すると、結局、飼料ホッパ内の飼料は、円錐ガイド部にブリッジ状に残留することなく、すべて、下方の底皿上へと落下し、ブリッジの発生を完全に防止することができる。
【発明を実施するための最良の形態】
【００１０】
以下、本発明を実施するための最良の形態を、図面を参照して詳細に説明する。
【００１１】
図１〜図５には、本発明の家畜用給餌器を実施するための最良の形態を示す。図示家畜用給餌器は、図１および図２に示すように、飼料ホッパ１０、餌落下パイプ１１、吊り棒１２、起動部材１３、ブリッジ防止手段１４、支持棒１５、餌量調整部１６、給水部１７、底皿１８、仕切板１９などで構成されてなる。
【００１２】
飼料ホッパ１０は、開閉蓋２０を開けて上部開口から飼料を投入する上側の円筒部２１と、円筒部２１の下縁から漸次下向きに縮径した円錐ガイド部２２とからなり、円錐ガイド部２２の下端に縦長な餌落下パイプ１１を接続している。
【００１３】
吊り棒１２は、長尺な丸棒製で、図３でも示すように、中途部に短い丸棒を直交する向きに溶着して掛け止め軸２３を付設し、下端部には、起動部材１３を固着している。起動部材１３は、複数の丸棒１３ａを用い、それら丸棒１３ａを吊り棒１２の下端部からやや斜め下向きに放射状に突設し、それぞれ丸棒１３ａの先端側を飼料の排出筒２５を貫通させて保持している。排出筒２５は、下縁部に矩形な切欠き２６…を周方向に所定間隔をあけて設けてなる。
【００１４】
さて、図示ブリッジ防止手段１４は、短い連結パイプ２９と、それぞれ例えば２〜３ｍｍの線状丸棒からなる複数の攪拌棒３０と、丸棒製の環状リング３１とからなる。連結パイプ２９は、下端に、吊り棒１２の掛け止め軸２３に合わせて切れ込み２９ａを設けている。そこで、ブリッジ防止手段１４は、この連結パイプ２９の上部外周にそれぞれ撹拌棒３０の下端を固着し、それら撹拌棒３０を、特に飼料ホッパ１０における円錐ガイド部２２の傾斜に合わせて吊り棒２２から図中斜め上向きに延ばし、それら撹拌棒３０の上端をリング３１で連結して逆かさ形に組み立ててなる。このブリッジ防止手段１４は、連結パイプ２９に吊り棒１２を挿通し、連結パイプ２９の切れ込み２９ａに掛け止め軸２３を係合させて吊り棒１２に同軸的に連結する。そして、ブリッジ防止手段１４を、図４に示すように吊り棒１２、起動部材１３、排出筒２５と共に一体に回動可能に組み付けて、全体を餌排出機構体Ａとして構築してなる。
【００１５】
餌排出機構体Ａは、吊り棒１２の上端部を、図１および図２に示すように、飼料ホッパ１０の円筒部２１内で水平に懸架した支持棒１５にクランク３５を介して連結し、吊り棒１２を回転中心として回動可能に吊持する。そして、各撹拌棒３０を内壁面２２ａに沿わせて円錐ガイド部２２内にブリッジ防止手段１４を配設し、排出筒２５を底皿１８上に載置する。
【００１６】
支持棒１５は、一端１５ａを、飼料ホッパ１０の円筒部２１を貫通させて餌量調整部１６に連結している。餌量調整部１６は、支持棒１５の一端１５ａにレバー３６を連結し、レバー３６の上端にアイボルトの操作部材３７を螺着している。そこで、餌量調整部１６は、操作部材３７を円弧状ガイド穴３８に沿って回して支持棒１５を回転すると、クランク３５を介して餌排出機構体Ａが適宜上下移動し、これによって、排出筒２５下端の排出口４０の開口量を調節して底皿１８へ排出する餌量を調整するようになっている。なお、このとき、排出筒２５は、飼料を矩形切欠き２６…を通して排出することで、粉状・粒状など粒度の異なる飼料であっても、それに関係なくスムーズに流出させることができる。
【００１７】
給水部１７は、餌落下パイプ１１の外周に一定間隔で給水器４２を突設する一方、飼料ホッパ１０の円筒部２１の外壁面にウォーターコントロール４３を取り付け、予め水量を調整してから給水パイプ４４を通して給水器４２へ送水する構成になっている。そして、仔豚が給水器４２を銜えて、その作用杆４２ａを揺動することによって飲水できるようになっている。
【００１８】
底皿１８は、中央部を円錐台状に隆起させてあり、飼料が中央部から流動して周辺部へ拡散し、食餌し易いようになっている。仕切板１９は、飼料ホッパ１０の円錐ガイド部２２、餌落下パイプ１１、底皿１８の内周面に固着し、各給水器４２の設置間隔に合わせて周方向に所定間隔をあけて配設する。そして、仕切板１９で区画した給餌空間内にて仔豚が争うことなく食餌し、又は個別に給水器４２から飲水できるようになっている。
【００１９】
さて、上述した構成の図示給餌器では、飼料供給時、開閉蓋２０を開けて飼料ホッパ１０の円筒部２１内に投入する飼料は、順次、円錐ガイド部２２、餌落下パイプ１１を通って底皿１８上へ自然落下して排出筒２５の切欠き２６…から仔豚へと送給される。このとき、本発明の給餌器では、例えば食餌中に仔豚が鼻や口で触って起動部材１３を押すと、それに応じて、吊り棒１２を中心として餌排出機構体Ａが揺動する。すると同時に、飼料ホッパ１０内では、ブリッジ防止手段１４の撹拌棒３０が、円錐ガイド部２２の内壁面２２ａの近傍でそれに沿って揺動するため、内壁面２２ａ寄りにある凝集飼料は撹拌棒３０でかき混ぜられ、内壁面２２ａに摩擦で付着した飼料群も摩擦抵抗が解かれて流動し（例えば外側から円錐ガイド部２２の外壁面を木槌で叩いて付着飼料を叩き落とすのと同様な効果が得られる。）、その結果、飼料は、円錐ガイド部２２内の内壁面２２ａ側から、順次、下方の餌落下パイプ１１を通って底皿１８上へ円滑に落下する。すると、結局、飼料ホッパ１０内の飼料は、円錐ガイド部２２内でブリッジ状に残留することなく、すべて、下方の底皿１８上へと落下し、ブリッジの発生を完全に防止することができる。
【００２０】
なお、図示給餌器では、そのように飼料ホッパ１０から落下する飼料を排出筒２５内から底皿１８へ排出するとき、落下飼料は、排出筒２５内で放射状に延びる起動部材１３で再び撹拌し、流動性を更に保有させた状態で、排出筒２５の切欠き２６…を通して底皿１８へ滞留することなく円滑に排出することができる。
【００２１】
ところで、上述した図示実施の形態において、ブリッジ防止手段１４を、線状丸棒からなる複数の攪拌棒を用いて逆かさ形に形成したが、本発明に係るブリッジ防止手段は、円錐ガイド部の傾斜に合わせて吊り棒から斜め上向きに延び、円錐ガイド部の内壁面に沿わせて配設し、飼料供給時、吊り棒の回動に連動して揺動すると、それに応じて内壁面寄りにある凝集飼料がかき混ぜられる形状構造のものであれば、上記図示例のものに限られるものではない。
【図面の簡単な説明】
【００２２】
【図１】本発明の一例である家畜用給餌器の内部構造を示す縦断面図である。
【図２】本発明の家畜用給餌器を示す斜視図である。
【図３】本発明の家畜用給餌器に備えた餌排出機構体の分解斜視図である。
【図４】餌排出機構体の組立斜視図である。
【図５】本発明の家畜用給餌器によるブリッジ防止作用を説明する部分縦断面図である。
【図６】従来の家畜用給餌器を示す斜視図である。
【図７】従来の家畜用給餌器を示す縦断面図である。
【図８】他の従来の家畜用給餌器を示す斜視図である。
【図９】他の従来の家畜用給餌器におけるブリッジ防止作用を説明する部分縦断面図である。
【符号の説明】
【００２３】
Ａ                餌排出機構体
１０              飼料ホッパ
１１              餌落下パイプ
１２              吊り棒
１３              起動部材
１４              ブリッジ防止手段
１８              底皿
２２              円錐ガイド部
３０              撹拌棒
３１              リング
【図１】
2008167706.tif 000003
【図２】
2008167706.tif 000004
【図３】
2008167706.tif 000005
【図４】
2008167706.tif 000006
【図５】
2008167706.tif 000007
【図６】
2008167706.tif 000008
【図７】
2008167706.tif 000009
【図８】
2008167706.tif 000010
【図９】
2008167706.tif 000011